(57)【要約】【課題】重要な場面におけるプレゼンテーションなどに安心して利用することができる画像表示システムの提供。【解決手段】プロジェクションシステムは、プロジェクタ３Ａ，３Ｂと、プロジェクタ３Ａ，３Ｂ間を接続するシリアルケーブル４とを備える。プロジェクタ３Ａ，３Ｂは、自身が主装置であるか従装置であるかを認識する状態認識部３２７と、プロジェクタ３Ａ，３Ｂに光学像を投射させる表示制御を行う表示制御部３２８と、自身の異常状態を検出する異常状態検出部３２９と、この異常状態に係る異常情報を、シリアルケーブル４を介して送信させる送信制御部３３０と、自身が従装置であると認識された場合に、表示制御部３２８に表示制御を停止させ、異常情報が受信されると、表示制御部３２８に表示制御を開始させる表示起動部３３１とを備える。【選択図】図２
2008170653.tif 000002
【特許請求の範囲】
【請求項１】
画像情報に基づく画像を表示する表示手段と、当該表示手段を制御する制御手段とを有する画像表示装置を複数備えた画像表示システムであって、
前記複数の画像表示装置間を情報の伝送可能に接続する伝送手段を備え、
前記複数の画像表示装置は、画像の表示を行う主装置と、所定の情報を受信することにより画像の表示を行う従装置とで構成され、
前記制御手段は、
自身が主装置であるか従装置であるかを認識する主従認識部と、
前記表示手段に前記画像情報に基づく画像を表示させる表示制御を行う表示制御部と、
自身の画像表示装置の異常状態を検出する異常状態検出部と、
前記異常状態検出部により異常状態が検出されると、当該異常状態に係る異常情報を前記伝送手段にて送信させる送信制御部と、
前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする画像表示システム。
【請求項２】
画像情報に基づく画像を表示する表示手段と、当該表示手段を制御する制御手段とを有する画像表示装置を複数備えた画像表示システムであって、
前記複数の画像表示装置間を情報の伝送可能に接続する伝送手段を備え、
前記複数の画像表示装置は、画像の表示を行う主装置と、所定の情報を受信することにより画像の表示を行う従装置とで構成され、
前記主装置の制御手段は、
自身が主装置であるか従装置であるかを認識する主従認識部と、
前記表示手段に前記画像情報に基づく画像を表示させる表示制御を行う表示制御部と、
自身の画像表示装置の異常状態を検出する異常状態検出部と、
前記異常状態検出部により異常状態が検出されると、当該異常状態に係る異常情報を前記伝送手段にて送信させる送信制御部とを備え、
前記従装置の制御手段は、
自身が主装置であるか従装置であるかを認識する主従認識部と、
前記表示手段に前記画像情報に基づく画像を表示させる表示制御を行う表示制御部と、
前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする画像表示システム。
【請求項３】
画像情報に基づく画像を表示する表示手段と、当該表示手段を制御する制御手段とを有する画像表示装置を複数備えた画像表示システムであって、
前記複数の画像表示装置間を情報の伝送可能に接続する伝送手段を備え、
前記複数の画像表示装置は、画像の表示を行う主装置と、所定の情報を受信することにより画像の表示を行う従装置とで構成され、
前記主装置の制御手段は、
自身が主装置であるか従装置であるかを認識する主従認識部と、
前記表示手段に前記画像情報に基づく画像を表示させる表示制御を行う表示制御部と、
自身の画像表示装置の異常状態を検出する異常状態検出部と、
前記異常状態検出部により異常状態が検出されると、当該異常状態に係る異常情報を前記伝送手段にて送信させる送信制御部とを備え、
前記従装置は、第１従装置と、第２従装置とで構成され、
前記第１従装置の制御手段は、
自身が主装置であるか従装置であるかを認識する主従認識部と、
前記表示手段に前記画像情報に基づく画像を表示させる表示制御を行う表示制御部と、
自身の画像表示装置の異常状態を検出する異常状態検出部と、
前記異常状態検出部により異常状態が検出されると、当該異常状態に係る異常情報を前記伝送手段にて送信させる送信制御部と、
前記主従認識部により自身が従装置であると認識された場合に、前記表示制御部に前記表示制御を停止させ、前記異常情報が受信されると、前記表示制御部に前記表示制御を開始させる表示起動部とを備え、
前記第２従装置の制御手段は、
自身が主装置であるか従装置であるかを認識する主従認識部と、
前記表示手段に前記画像情報に基づく画像を表示させる表示制御を行う表示制御部と、
前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする画像表示システム。
【請求項４】
請求項１から請求項３のいずれかに記載の画像表示システムにおいて、
前記送信制御部は、前記異常状態検出部により検出された異常状態が、前記表示手段にて画像を表示することが不可能となる異常状態の場合に、当該異常状態に係る異常情報を前記伝送手段にて送信させることを特徴とする画像表示システム。
【請求項５】
請求項１から請求項４のいずれかに記載の画像表示システムにおいて、
画像情報を出力する画像出力装置を備え、
前記複数の画像表示装置には、前記画像出力装置により出力される同一の画像情報が入力されることを特徴とする画像表示システム。
【請求項６】
請求項１から請求項５のいずれかに記載の画像表示システムにおいて、
前記複数の画像表示装置は、前記伝送手段にて前記主装置から従装置が直列に接続されることを特徴とする画像表示システム。
【請求項７】
画像情報に基づく画像を表示する表示手段と、当該表示手段を制御する制御手段とを有する画像表示装置を複数備えた画像表示システムに用いられる画像表示装置であって、
前記制御手段は、
自身が主装置であるか従装置であるかを認識する主従認識部と、
前記表示手段に前記画像情報に基づく画像を表示させる表示制御を行う表示制御部と、
自身の画像表示装置の異常状態を検出する異常状態検出部と、
前記異常状態検出部により異常状態が検出されると、当該異常状態に係る異常情報を前記伝送手段にて送信させる送信制御部と、
前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする画像表示装置。
【請求項８】
画像情報に基づく画像を表示する表示手段と、当該表示手段を制御する制御手段とを有する画像表示装置を複数備えた画像表示システムに用いられる画像表示装置であって、
前記制御手段は、
自身が主装置であるか従装置であるかを認識する主従認識部と、
前記表示手段に前記画像情報に基づく画像を表示させる表示制御を行う表示制御部と、
自身の画像表示装置の異常状態を検出する異常状態検出部と、
前記異常状態検出部により異常状態が検出されると、当該異常状態に係る異常情報を前記伝送手段にて送信させる送信制御部とを備えることを特徴とする画像表示装置。
【請求項９】
画像情報に基づく画像を表示する表示手段と、当該表示手段を制御する制御手段とを有する画像表示装置を複数備えた画像表示システムに用いられる画像表示装置であって、
前記制御手段は、
自身が主装置であるか従装置であるかを認識する主従認識部と、
前記表示手段に前記画像情報に基づく画像を表示させる表示制御を行う表示制御部と、
前記主従認識部により自身が従装置であると認識された場合に、前記表示制御部に前記表示制御を停止させ、他の画像表示装置の異常状態に係る異常情報が受信されると、前記表示制御部に前記表示制御を開始させる表示起動部とを備えることを特徴とする画像表示装置。
【請求項１０】
請求項７から請求項９のいずれかに記載の画像表示装置において、
当該画像表示装置は、光源装置と、前記光源装置から射出される光を画像情報に応じて変調して光学像を形成する光変調装置と、形成された光学像を拡大投射する投射光学装置とを備えるプロジェクタであることを特徴とする。
【請求項１１】
画像情報に基づく画像を表示する表示手段と、当該表示手段を制御する制御手段とを有する画像表示装置を複数備えた画像表示システムを利用した画像表示方法であって、
前記複数の画像表示装置間を情報の伝送可能に接続する伝送手段を備え、
前記複数の画像表示装置は、画像の表示を行う主装置と、所定の情報を受信することにより画像の表示を行う従装置とで構成され、
前記主装置の制御手段が、
自身の画像表示装置の異常状態を検出する異常状態検出ステップと、
前記異常状態検出ステップにより異常状態を検出すると、当該異常状態に係る異常情報を前記伝送手段にて送信する送信制御ステップとを実行し、
前記従装置の制御手段が、
自身が従装置であると認識する認識ステップと、
前記認識ステップにより自身が従装置であると認識した場合に、前記表示手段による前記画像情報に基づく画像の表示を停止する表示停止ステップと、
前記異常情報を受信すると、前記表示手段による前記画像情報に基づく画像の表示を開始する表示開始ステップとを実行することを特徴とする画像表示方法。
【発明の詳細な説明】
【技術分野】
【０００１】
本発明は、画像表示システム、画像表示装置、および画像表示方法に関する。
【背景技術】
【０００２】
従来、会議、学会、および展示会等におけるプレゼンテーションや、披露宴等における写真および映像の投射等にプロジェクタが用いられている。このようなプロジェクタは、光源から射出された光を画像情報に応じて変調して光学像を形成し、当該光学像を拡大投射する構成とされ、光源としては、メタルハライドランプ、高圧水銀ランプ等の放電型の光源ランプが利用されている。
ここで、光源ランプは、割れなどによる故障により、突然、光を射出することができなくなる場合がある。これにより、光学像が投射されなくなるので、重要な場面におけるプレゼンテーションなどに安心してプロジェクタを利用することができなかった。
【０００３】
これに対して、２つの光源ランプを実装し、一方の光源ランプが光を射出することができなくなった場合においても、他方の光源ランプが光を射出することにより光学像を投射することができるプロジェクタが提案されている（例えば、特許文献１）。
特許文献１に記載のプロジェクタでは、各光源ランプから射出される光を、ハーフミラーと、反射鏡とにより同一領域に重畳させるように構成している。そして、一方の光源ランプが故障して光を射出することができなくなると、他方の光源ランプを点灯して光を射出する。これにより、一方の光源ランプが光を射出することができなくなった場合においても、光学像を投射し続けることができる。
【０００４】
【特許文献１】特開平７−２２５４３０号公報
【発明の開示】
【発明が解決しようとする課題】
【０００５】
しかしながら、特許文献１に記載のプロジェクタでは、光源ランプの故障以外の原因、例えば、光源ランプから射出された光を画像情報に応じて変調する光変調装置などの故障により、光学像が投射されなくなるような場合には、光学像を投射し続けることができないという問題がある。
【０００６】
本発明の目的は、重要な場面におけるプレゼンテーションなどに安心して利用することができる画像表示システム、画像表示装置、および画像表示方法を提供することにある。
【課題を解決するための手段】
【０００７】
本発明の画像表示システムは、画像情報に基づく画像を表示する表示手段と、当該表示手段を制御する制御手段とを有する画像表示装置を複数備えた画像表示システムであって、
前記複数の画像表示装置間を情報の伝送可能に接続する伝送手段を備え、前記複数の画像表示装置は、画像の表示を行う主装置と、所定の情報を受信することにより画像の表示を行う従装置とで構成され、前記制御手段は、自身が主装置であるか従装置であるかを認識する主従認識部と、前記表示手段に前記画像情報に基づく画像を表示させる表示制御を行う表示制御部と、自身の画像表示装置の異常状態を検出する異常状態検出部と、前記異常状態検出部により異常状態が検出されると、当該異常状態に係る異常情報を前記伝送手段にて送信させる送信制御部と、前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする。
【０００８】
このような構成によれば、複数の画像表示装置は、それぞれ伝送手段により情報の伝送可能に接続されている。そして、各画像表示装置は、主従認識部により自身が主装置であるか従装置であるかを認識する。
ここで、主従認識部は、画像システムの使用者により各画像表示装置が操作されることにより自身が主装置であるか従装置であるかを認識する。例えば、画像表示システムの使用者が、各画像表示装置を操作して主装置および従装置の設定を行い、この設定に基づいて自身が主装置であるか従装置であるかを認識するようにしてもよい。なお、本発明は、これに限定されるものではなく、例えば、伝送手段を用いて各画像表示装置間の接続状態を確認し、この接続状態に基づいて自動的に自身が主装置であるか従装置であるかを認識するようにしてもよい。要するに、自身が主装置であるか従装置であるかを認識することができればよい。
【０００９】
そして、複数の画像表示装置のうち、主従認識部により主装置であると認識された画像表示装置の表示制御部は、表示手段に画像情報に基づく画像を表示させる表示制御を行う。一方、主従認識部により従装置であると認識された画像表示装置の表示起動部は、表示制御部に、表示制御を停止させる。
そして、主装置の異常情報検出部により、異常状態が検出されると、この主装置の送信制御部は、この異常状態に係る異常情報を伝送手段にて送信させる。そして、異常情報は、伝送手段を介して主装置に接続された従装置により受信される。そして、異常情報が受信されると、異常情報を受信した従装置の表示起動部は、表示制御部に、表示制御を開始させる。
【００１０】
したがって、画像情報に基づく画像を表示している主装置が、故障などにより異常状態となった場合においても、主装置に接続された従装置が、画像情報に基づく画像を表示することができる。これにより、画像情報に基づく画像を表示し続けることができるので、重要な場面におけるプレゼンテーションなどに安心して画像表示システムを利用することができる。
また、本発明の画像表示装置は、伝送手段により他の画像表示装置と伝送可能に接続することができ、異常状態を検出するためのセンサなどを実装することができればよい。すなわち、本発明の画像表示装置は、特許文献１に記載のプロジェクタのように、特別な構成を必要とすることがなく、一般的な構成の画像表示装置を利用することができる。したがって、画像表示装置の製造コストを安価にすることができ、筐体が大型化するという問題もない。
【００１１】
本発明の画像表示システムは、画像情報に基づく画像を表示する表示手段と、当該表示手段を制御する制御手段とを有する画像表示装置を複数備えた画像表示システムであって、
前記複数の画像表示装置間を情報の伝送可能に接続する伝送手段を備え、前記複数の画像表示装置は、画像の表示を行う主装置と、所定の情報を受信することにより画像の表示を行う従装置とで構成され、前記主装置の制御手段は、自身が主装置であるか従装置であるかを認識する主従認識部と、前記表示手段に前記画像情報に基づく画像を表示させる表示制御を行う表示制御部と、自身の画像表示装置の異常状態を検出する異常状態検出部と、前記異常状態検出部により異常状態が検出されると、当該異常状態に係る異常情報を前記伝送手段にて送信させる送信制御部とを備え、前記従装置の制御手段は、自身が主装置であるか従装置であるかを認識する主従認識部と、前記表示手段に前記画像情報に基づく画像を表示させる表示制御を行う表示制御部と、前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする。
【００１２】
このような構成によれば、主装置の制御手段は、主従認識部と、表示制御部と、異常状態検出部と、送信制御部とを備え、従装置の制御手段は、主従認識部と、表示制御部と、表示起動部とを備えるので、前述した画像表示システムの作用および効果と同様の作用および効果を享受することができる。
また、主装置は、主従認識部と、表示制御部と、異常状態検出部と、送信制御部とを備えていればよく、従装置は、主従認識部と、表示制御部と、表示起動部とを備えていればよいので、画像表示装置の構成を簡素化することができ、画像表示システムを構築するにあたって製造コストを更に安価にすることができる。
【００１３】
本発明の画像表示システムは、画像情報に基づく画像を表示する表示手段と、当該表示手段を制御する制御手段とを有する画像表示装置を複数備えた画像表示システムであって、前記複数の画像表示装置間を情報の伝送可能に接続する伝送手段を備え、前記複数の画像表示装置は、画像の表示を行う主装置と、所定の情報を受信することにより画像の表示を行う従装置とで構成され、前記主装置の制御手段は、自身が主装置であるか従装置であるかを認識する主従認識部と、前記表示手段に前記画像情報に基づく画像を表示させる表示制御を行う表示制御部と、自身の画像表示装置の異常状態を検出する異常状態検出部と、前記異常状態検出部により異常状態が検出されると、当該異常状態に係る異常情報を前記伝送手段にて送信させる送信制御部とを備え、前記従装置は、第１従装置と、第２従装置とで構成され、前記第１従装置の制御手段は、自身が主装置であるか従装置であるかを認識する主従認識部と、前記表示手段に前記画像情報に基づく画像を表示させる表示制御を行う表示制御部と、自身の画像表示装置の異常状態を検出する異常状態検出部と、前記異常状態検出部により異常状態が検出されると、当該異常状態に係る異常情報を前記伝送手段にて送信させる送信制御部と、前記主従認識部により自身が従装置であると認識された場合に、前記表示制御部に前記表示制御を停止させ、前記異常情報が受信されると、前記表示制御部に前記表示制御を開始させる表示起動部とを備え、前記第２従装置の制御手段は、自身が主装置であるか従装置であるかを認識する主従認識部と、前記表示手段に前記画像情報に基づく画像を表示させる表示制御を行う表示制御部と、前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする。
【００１４】
ここで、第１従装置は、他の画像表示装置から異常情報を受信することにより画像の表示を行うとともに、自身の画像表示装置の異常状態に係る異常情報を送信することができる従装置であり、第２従装置は、他の画像表示装置から異常情報を受信することにより画像の表示を行うことができる従装置である。なお、本発明の画像表示システムは、主装置、第１従装置、および第２従装置を、それぞれ複数備えていてもよい。
このような構成によれば、主装置の制御手段は、主従認識部と、表示制御部と、異常状態検出部と、送信制御部とを備え、第１従装置の制御手段は、主従認識部と、表示制御部と、異常状態検出部と、送信制御部と、表示起動部とを備え、第２従装置の制御手段は、主従認識部と、表示制御部と、表示起動部とを備えるので、前述した画像表示システムの作用および効果と同様の作用および効果を享受することができる。
【００１５】
なお、本発明では、主装置に第１従装置を伝送手段にて接続し、第１従装置に第２従装置を伝送手段にて接続することが好ましい。このような構成によれば、画像情報に基づく画像を表示している主装置が、故障などにより異常状態となった場合においても、主装置に接続された第１従装置が、画像情報に基づく画像を表示することができる。そして、第１従装置が、故障などにより異常状態となった場合においても、第１従装置に接続された第２従装置が、画像情報に基づく画像を表示することができる。
【００１６】
また、主装置は、主従認識部と、表示制御部と、異常状態検出部と、送信制御部とを備えていればよく、第２従装置は、主従認識部と、表示制御部と、表示起動部とを備えていればよいので、画像表示装置の構成を簡素化することができ、画像表示システムを構築するにあたって製造コストを更に安価にすることができる。
【００１７】
本発明では、前記送信制御部は、前記異常状態検出部により検出された異常状態が、前記表示手段にて画像を表示することが不可能となる異常状態の場合に、当該異常状態に係る異常情報を前記伝送手段にて送信させることが好ましい。
このような構成によれば、画像情報に基づく画像を表示している主装置が、故障などにより画像を表示することが不可能となった場合に、主装置に接続された従装置が、画像情報に基づく画像を確実に表示することができるので、重要な場面におけるプレゼンテーションなどに更に安心して画像表示システムを利用することができる。
【００１８】
本発明では、画像情報を出力する画像出力装置を備え、前記複数の画像表示装置には、前記画像出力装置により出力される同一の画像情報が入力されることが好ましい。
このような構成によれば、各画像表示装置には、画像出力装置から出力される同一の画像情報が入力されているので、画像情報に基づく画像を表示している主装置が、故障などにより異常状態となり、主装置に接続された従装置が、画像情報に基づく画像を表示する場合においても、主装置の表示手段により表示されていた画像を、従装置の表示手段により引き続き表示し続けることができる。
【００１９】
本発明では、前記複数の画像表示装置は、前記伝送手段にて前記主装置から従装置が直列に接続されることが好ましい。
このような構成によれば、画像情報に基づく画像を表示している主装置が、故障などにより異常状態となった場合に、隣接して接続される従装置に、異常情報を伝送手段にて送信する。したがって、主装置から順に隣接して接続される従装置にて画像情報に基づく画像を表示していくので、画像表示システムを簡素化することができる。
【００２０】
本発明の画像表示装置は、画像情報に基づく画像を表示する表示手段と、当該表示手段を制御する制御手段とを有する画像表示装置を複数備えた画像表示システムに用いられる画像表示装置であって、前記制御手段は、自身が主装置であるか従装置であるかを認識する主従認識部と、前記表示手段に前記画像情報に基づく画像を表示させる表示制御を行う表示制御部と、自身の画像表示装置の異常状態を検出する異常状態検出部と、前記異常状態検出部により異常状態が検出されると、当該異常状態に係る異常情報を前記伝送手段にて送信させる送信制御部と、前記主従認識部により自身が従装置であると認識された場合に、前記表示制御部に前記表示制御を停止させ、前記異常情報が受信されると、前記表示制御部に前記表示制御を開始させる表示起動部とを備えることを特徴とする。
【００２１】
このような構成によれば、前述した画像表示システムに好適な画像表示装置として利用することができる。
【００２２】
本発明の画像表示装置は、画像情報に基づく画像を表示する表示手段と、当該表示手段を制御する制御手段とを有する画像表示装置を複数備えた画像表示システムに用いられる画像表示装置であって、前記制御手段は、自身が主装置であるか従装置であるかを認識する主従認識部と、前記表示手段に前記画像情報に基づく画像を表示させる表示制御を行う表示制御部と、自身の画像表示装置の異常状態を検出する異常状態検出部と、前記異常状態検出部により異常状態が検出されると、当該異常状態に係る異常情報を前記伝送手段にて送信させる送信制御部とを備えることを特徴とする。
【００２３】
このような構成によれば、前述した画像表示システムに好適な画像表示装置として利用することができる。
【００２４】
本発明の画像表示装置は、画像情報に基づく画像を表示する表示手段と、当該表示手段を制御する制御手段とを有する画像表示装置を複数備えた画像表示システムに用いられる画像表示装置であって、前記制御手段は、自身が主装置であるか従装置であるかを認識する主従認識部と、前記表示手段に前記画像情報に基づく画像を表示させる表示制御を行う表示制御部と、前記主従認識部により自身が従装置であると認識された場合に、前記表示制御部に前記表示制御を停止させ、他の画像表示装置の異常状態に係る異常情報が受信されると、前記表示制御部に前記表示制御を開始させる表示起動部とを備えることを特徴とする。
【００２５】
このような構成によれば、前述した画像表示システムに好適な画像表示装置として利用することができる。
【００２６】
本発明では、前述した画像表示装置は、光源装置と、前記光源装置から射出される光を画像情報に応じて変調して光学像を形成する光変調装置と、形成された光学像を拡大投射する投射光学装置とを備えるプロジェクタであることが好ましい。
【００２７】
このような構成によれば、前述した画像表示装置の作用および効果と同様の作用および効果を享受することができる。
また、本発明のプロジェクタを利用することにより、本発明の画像表示システム（プロジェクションシステム）を構成すれば、画像情報に基づく光学像を投射するプロジェクタ（主装置）が、光源ランプの故障、および光源ランプの故障以外の原因、例えば、光源ランプから射出された光を画像情報に応じて変調する光変調装置などの故障により、異常状態となった場合であっても、このプロジェクタに接続されたプロジェクタ（従装置）が、光学像を投射することができる。これにより、画像情報に基づく光学像を投射し続けることができるので、重要な場面におけるプレゼンテーションなどに安心してプロジェクションシステムを利用することができる。
さらに、本発明のプロジェクタは、特許文献１に記載のプロジェクタのように、特別な構成を必要とすることがなく、一般的な構成のプロジェクタを利用することができる。したがって、プロジェクタの製造コストを安価にすることができ、筐体が大型化するという問題もない。
【００２８】
本発明の画像表示方法は、画像情報に基づく画像を表示する表示手段と、当該表示手段を制御する制御手段とを有する画像表示装置を複数備えた画像表示システムを利用した画像表示方法であって、前記複数の画像表示装置間を情報の伝送可能に接続する伝送手段を備え、前記複数の画像表示装置は、画像の表示を行う主装置と、所定の情報を受信することにより画像の表示を行う従装置とで構成され、前記主装置の制御手段が、自身の画像表示装置の異常状態を検出する異常状態検出ステップと、前記異常状態検出ステップにより異常状態を検出すると、当該異常状態に係る異常情報を前記伝送手段にて送信する送信制御ステップとを実行し、前記従装置の制御手段が、自身が従装置であると認識する認識ステップと、前記認識ステップにより自身が従装置であると認識した場合に、前記表示手段による前記画像情報に基づく画像の表示を停止する表示停止ステップと、前記異常情報を受信すると、前記表示手段による前記画像情報に基づく画像の表示を開始する表示開始ステップとを実行することを特徴とする。
【００２９】
このような構成によれば、前述した画像表示システムの作用および効果と同様の作用および効果を享受することができる。
【発明を実施するための最良の形態】
【００３０】
以下、本発明の一実施形態を図面に基づいて説明する。
［第１実施形態］
〔プロジェクションシステムの概略構成〕
図１は、画像表示システムとしてのプロジェクションシステム１の外観図である。
プロジェクションシステム１は、図１に示すように、画像データ信号（画像情報）を出力するＰＣ（Personal Computer）２と、ＰＣ２から出力される画像データ信号に基づく光学像を生成し、スクリーンＳｃに向けて投射するプロジェクタ３Ａ，３Ｂと、プロジェクタ３Ａ，３Ｂ間を接続するシリアルケーブル４と、ＰＣ２およびプロジェクタ３Ａ，３Ｂを接続し、ＰＣ２から出力される画像データ信号を、プロジェクタ３Ａ，３Ｂに伝送する画像ケーブル５とを備える。
なお、本実施形態では、プロジェクタ３Ａを、光学像の投射を行う主装置とし、プロジェクタ３Ｂを、所定の情報を受信することにより光学像の投射を行う従装置とする。
【００３１】
画像出力装置としてのＰＣ２は、例えば、ＤＶＤ（Digital Versatile Disc）等のメディアにデジタルデータとして記録された映像ソースに、色ムラ補正やγ補正など所定の画像処理を行ったうえで画像データ信号を生成して出力している。
シリアルケーブル４は、ＲＳ−２３２Ｃなどに代表されるシリアル伝送方式で情報を伝送するために接続されるケーブルである。そして、プロジェクタ３Ａ，３Ｂは、このシリアルケーブル４を介して情報を伝送することができる。
画像ケーブル５は、画像データ信号を伝送するために接続されるケーブルであり、本実施形態では、画像ケーブル５は、アナログＲＧＢ（Red Green Blue）ケーブルで構成され、画像データ信号は、アナログＲＧＢ信号にて伝送されている。画像ケーブル５は、コネクタ５１で分岐され、プロジェクタ３Ａ，３Ｂに接続される。したがって、プロジェクタ３Ａ，３Ｂには、それぞれ同一の画像データ信号が入力される。なお、画像ケーブル５は、アナログＲＧＢケーブルに限らず、例えば、コンポジットケーブルやデジタルＲＧＢケーブル等で構成してもよく、伝送される画像データ信号に応じて選択すればよい。
【００３２】
〔プロジェクタの構成〕
図２は、プロジェクタ３Ａ，３Ｂの概略構成を示すブロック図である。
プロジェクタ３Ａ，３Ｂは、図２に示すように、画像投射装置３１と、制御装置３２と、画像投射装置３１および制御装置３２に電力を供給する電源装置３４で大略構成されている。
表示手段としての画像投射装置３１は、制御装置３２による制御の下、光学像を形成してスクリーンＳｃに拡大投射する。この画像投射装置３１は、図２に示すように、光源装置３１１と、光変調装置としての液晶パネル３１２と、投射光学装置３１３とを備える。
光源装置３１１は、制御装置３２による制御の下、光を液晶パネル３１２に向けて射出する。この光源装置３１１は、光源ランプ３１４と、ランプドライバ３１５とを備える。
【００３３】
光源ランプ３１４は、超高圧水銀ランプにて構成されている。なお、超高圧水銀ランプに限らず、メタルハライドランプ、キセノンランプ等の放電型の光源ランプを採用してもよい。さらに、放電型の光源ランプに限らず、発光ダイオード、レーザダイオード、有機ＥＬ素子、シリコン発光素子等の各種自己発光素子を採用してもよい。
ランプドライバ３１５は、制御装置３２による制御の下、所定の駆動電圧で光源ランプ３１４を駆動する。
【００３４】
液晶パネル３１２は、透過型の液晶パネルであり、制御装置３２からの駆動信号に基づいて、液晶セル（図示略）に封入された液晶分子の配列を変化させ、光源ランプ３１４から射出された光を、透過若しくは遮断することによりＰＣ２から出力される画像データ信号に応じて変調して光学像を形成し、この光学像を投射光学装置３１３に射出する。
投射光学装置３１３は、液晶パネル３１２から射出された光学像をスクリーンＳｃに向けて拡大投射する。
なお、図示は省略したが、プロジェクタ３Ａ，３Ｂは、ＲＧＢの３色に対応する３枚の液晶パネル３１２を備えている。また、光源装置３１１は、光源ランプ３１４から射出される光を３色の光に分離する色光分離光学系を備えている。さらに、投射光学装置３１３は、３色の光学像を合成してカラー画像を表す光学像を生成する合成光学系を有している。なお、このような光学系の構成については、種々の一般的なプロジェクタの光学系の構成が利用可能である。
【００３５】
制御手段としての制御装置３２は、画像投射装置３１を含むプロジェクタ３Ａ，３Ｂ全体を制御するものであり、図２に示すように、シリアル伝送方式で情報の伝送を実施する送受信部３２１と、ＰＣ２から出力される画像データ信号が入力される画像入力部３２２と、記憶部３２３と、制御部本体３２４とを備える。これら各構成要素３２１〜３２４は、図示しないバスにより接続され、必要な情報が伝送可能に構成されている。
なお、本実施形態では、伝送手段は、送受信部３２１と、シリアルケーブル４とにより構成されている。
記憶部３２３は、画像入力部３２２に入力される画像データ信号をサンプリングして生成されるフレーム単位の画像データ（画像情報）を、一時的に記憶するものである。記憶部３２３としては、例えば、ＶＲＡＭ（Video Random Access Memory）等を採用することができる。
【００３６】
制御部本体３２４は、例えば、ＣＰＵ（Central Processing Unit）等を含んで構成され、ＰＣ２側からの制御指令や図示しないメモリに記憶されたプログラムにしたがって、プロジェクタ３Ａ，３Ｂ全体を制御する部分である。
制御部本体３２４は、図２に示すように、画像生成部３２５と、液晶パネル駆動部３２６と、状態認識部３２７と、表示制御部３２８と、異常状態検出部３２９と、送信制御部３３０と、表示起動部３３１とを備える。
画像生成部３２５は、記憶部３２３に記憶されるフレーム単位の画像データを読み出して、液晶パネル駆動部３２６に出力する。
液晶パネル駆動部３２６は、画像生成部３２５から出力される画像データに基づく駆動信号を液晶パネル３１２に出力し、液晶パネル３１２に画像データに基づく光学像を形成させる。なお、前述したように、形成された光学像は、液晶パネル３１２から射出され、投射光学装置３１３によりスクリーンＳｃに向けて拡大投射される。
【００３７】
主従認識部としての状態認識部３２７は、自身が主装置であるか従装置であるかを認識する。なお、本実施形態では、状態認識部３２７は、各プロジェクタ３Ａ，３Ｂの電源ボタンが押下された場合に主装置であると認識し、電源ボタンが押下されていない場合、すなわち、スタンバイ状態である場合に従装置であると認識する。
表示制御部３２８は、電源装置３４に制御信号を出力して画像投射装置３１に電力を供給させて、画像投射装置３１に画像データに基づく画像を表示させる表示制御を行う。そして、表示制御部３２８は、状態認識部３２７により自身が主装置であると認識された場合、すなわち、プロジェクタ３Ａ，３Ｂの電源ボタンが押下されると、表示制御を開始する。すなわち、表示制御部３２８は、電源装置３４に画像投射装置３１への電力の供給を開始させる。
【００３８】
異常状態検出部３２９は、画像投射装置３１が画像データに基づく光学像を投射することが不可能となる異常状態を検出する。
なお、本実施形態では、異常状態検出部３２９は、光源ランプ３１４の故障により光学像を投射することができなくなる状態、およびプロジェクタ３Ａ，３Ｂの内部温度が上昇し、例えば、液晶パネル３１２の温度が動作範囲を超えてしまい、光学像を投射することができなくなる異常状態を検出する。ここで、光源ランプ３１４の異常状態は、ランプドライバ３１５が光源ランプ３１４を駆動する駆動電流を監視することにより検出することができる。また、温度が上昇することによる異常状態は、プロジェクタ３Ａ，３Ｂに実装される温度センサ（図示略）を監視することにより検出することができる。
【００３９】
送信制御部３３０は、異常状態検出部３２９により異常状態が検出されると、この異常状態に係る異常情報を、送受信部３２１に、シリアルケーブル４を介して送信させる。
表示起動部３３１は、状態認識部３２７により自身が従装置であると認識された場合、すなわち、スタンバイ状態である場合に、表示制御部３２８に表示制御を停止させる。すなわち、表示制御部３２８は、電源装置３４に画像投射装置３１への電力の供給を停止させる。また、表示起動部３３１は、異常情報が受信されると、表示制御部３２８に表示制御を開始させる。すなわち、表示制御部３２８は、電源装置３４に画像投射装置３１への電力の供給を開始させる。なお、表示起動部３３１は、制御信号を出力して送受信部３２１に異常情報を受信させる。
【００４０】
〔プロジェクションシステムの動作〕
次に、プロジェクションシステム１の動作について、図１および図３を参照して説明する。
図３は、プロジェクションシステム１の動作を示すフローチャートである。
ここで、図１に示すように、プロジェクタ３Ａ，３Ｂは、各プロジェクタ３Ａ，３Ｂにより投射される光学像の投射領域が略同一の領域に重畳されるように配置されている。なお、図１においては、プロジェクタ３Ａ（主装置）により投射される光学像の光路を実線で示し、プロジェクタ３Ｂ（従装置）により投射される光学像の光路を二点鎖線で示している。
【００４１】
まず、プロジェクションシステム１の使用者により、プロジェクタ３Ａの電源ボタンが押下されると、プロジェクタ３Ａの状態認識部３２７は、自身が主装置であると認識する（ステップＳ１１：認識ステップ）。
次に、プロジェクタ３Ａの表示制御部３２８は、表示制御を開始する（ステップＳ１２：表示開始ステップ）。
表示制御部３２８により表示制御が開始されると、電源装置３４から画像投射装置３１に電力が供給され、画像投射装置３１は、画像データに基づく光学像を投射する（ステップＳ１３）。
【００４２】
そして、プロジェクタ３Ａの異常状態検出部３２９は、画像投射装置３１が画像データに基づく光画像を投射することが不可能となる異常状態を検出する（ステップＳ１４：異常状態検出ステップ）。具体的には、プロジェクタ３Ａの異常状態検出部３２９は、前述したように、ランプドライバ３１５が光源ランプ３１４を駆動する駆動電流、および温度センサ（図示略）を監視することにより、異常状態を検出する。
【００４３】
プロジェクタ３Ａの異常状態検出部３２９により異常状態が検出されると、プロジェクタ３Ａの送信制御部３３０は、この異常状態に係る異常情報を、送受信部３２１に、シリアルケーブル４を介して送信させる（ステップＳ１５：送信制御ステップ）。具体的には、シリアルケーブル４は、プロジェクタ３Ａ，３Ｂ間を情報の伝送可能に接続しているので、プロジェクタ３Ａの送信制御部３３０は、異常情報を、プロジェクタ３Ｂに送信させる。
【００４４】
一方、プロジェクタ３Ｂの状態認識部３２７は、電源ボタンが押下されていないスタンバイ状態であるので、自身が従装置であると認識する（ステップＳ２１：認識ステップ）。
そして、プロジェクタ３Ｂの表示起動部３３１は、表示制御部３２８に表示制御を停止させる（ステップＳ２２：表示停止ステップ）。
【００４５】
プロジェクタ３Ａの送信制御部３３０により異常情報が送信されると、プロジェクタ３Ｂの表示起動部３３１は、制御信号を出力して送受信部３２１に、この異常情報を受信させる（ステップＳ２３）。
そして、プロジェクタ３Ｂの表示起動部３３１は、この異常情報が受信されると、表示制御部３２８に表示制御を開始させる（ステップＳ２４：表示開始ステップ）。
表示制御部３２８により表示制御が開始されると、電源装置３４から画像投射装置３１に電力が供給され、画像投射装置３１は、画像データに基づく光学像を投射する（ステップＳ２５）。
【００４６】
以上のようなステップＳ１１〜Ｓ１５、Ｓ２１〜Ｓ２５により、画像データに基づく光学像を投射しているプロジェクタ３Ａが、故障などにより異常状態となった場合においても、プロジェクタ３Ａに接続されたプロジェクタ３Ｂが、画像データに基づく光学像を投射することができる。
なお、本実施形態では、プロジェクタ３Ａの電源ボタンが押下されていたが、プロジェクタ３Ｂの電源ボタンが押下されるようにしてもよい。この場合においても、プロジェクションシステム１の構成を変更することなく、本実施形態と同様の作用効果を奏することができる。
【００４７】
本実施形態に係るプロジェクションシステム１によれば、次のような効果がある。
（１）画像データに基づく光学像を投射しているプロジェクタ３Ａが、故障などにより画像を表示することが不可能となった場合においても、プロジェクタ３Ａに接続されたプロジェクタ３Ｂが、画像データに基づく光画像を確実に投射することができる。これにより、画像データに基づく光画像を投射し続けることができるので、重要な場面におけるプレゼンテーションなどに安心してプロジェクションシステム１を利用することができる。
【００４８】
（２）プロジェクタ３Ａ，３Ｂは、送受信部３２１と、シリアルケーブル４とにより他のプロジェクタと送受信可能に接続することができ、異常状態を検出するための温度センサなどを実装することができればよい。すなわち、プロジェクタ３Ａ，３Ｂは、特別な構成を必要とすることがなく、一般的な構成のプロジェクタを利用することができる。したがって、プロジェクタ３Ａ，３Ｂの製造コストを安価にすることができ、筐体が大型化するという問題もない。
【００４９】
（３）プロジェクタ３Ａ，３Ｂには、ＰＣ２から出力される同一の画像データ信号が入力されているので、画像データに基づく光画像を投射しているプロジェクタ３Ａが、故障などにより画像を表示することが不可能となり、プロジェクタ３Ａに接続されたプロジェクタ３Ｂが、画像データに基づく光画像を投射する場合においてもプロジェクタ３Ａの画像投射装置３１により投射されていた光学像を、プロジェクタ３Ｂの画像投射装置３１により引き続き投射し続けることができる。
（４）シリアルケーブル４にて主装置（プロジェクタ３Ａ）から従装置（プロジェクタ３Ｂ）が直列に接続されているので、画像データに基づく光画像を投射しているプロジェクタ３Ａが、故障などにより画像を表示することが不可能となった場合に、隣接して接続されるプロジェクタ３Ｂに、異常情報をシリアルケーブル４にて送信する。したがって、主装置から順に隣接して接続される従装置にて画像データに基づく画像を表示していくので、プロジェクションシステム１を簡素化することができる。
【００５０】
［第２実施形態］
本発明の第２実施形態に係るプロジェクションシステム１Ａについて説明する。
なお、以下の説明では、既に説明した部分については、同一符号を付してその説明を省略する。
図４は、画像表示システムとしてのプロジェクションシステム１Ａの外観図である。
前記第１実施形態に係るプロジェクションシステム１は、２台のプロジェクタ３Ａ，３Ｂにより構成されていたが、本実施形態では、図４に示すように、３台のプロジェクタ３Ｃ，３Ｄ，３Ｅにより構成されている点で異なる。
また、前記第１実施形態に係るプロジェクションシステム１では、伝送手段は、送受信部３２１と、シリアルケーブル４とにより構成されていたが、本実施形態では、図４に示すように、無線ＬＡＮ（Local Area Network）カード３３２により構成されている点で異なる。
【００５１】
プロジェクションシステム１Ａは、図４に示すように、ＰＣ２と、プロジェクタ３Ｃ，３Ｄ，３Ｅと、プロジェクタ３Ｃ，３Ｄ，３Ｅ間を情報の伝送可能に接続する無線ＬＡＮカード３３２と、ＰＣ２およびプロジェクタ３Ｃ，３Ｄ，３Ｅを接続し、ＰＣ２から出力される画像データ信号を、プロジェクタ３Ｃ，３Ｄ，３Ｅに伝送する画像ケーブル５とを備える。
なお、本実施形態では、プロジェクタ３Ｃを、光学像の投射を行う主装置とし、プロジェクタ３Ｄ，３Ｅを、所定の情報を受信することにより光学像の投射を行う従装置とする。したがって、シリアルケーブル４にて主装置から従装置が直列に接続されている。さらに、プロジェクタ３Ｄを、第１従装置とし、プロジェクタ３Ｅを、第２従装置とする。
【００５２】
伝送手段としての無線ＬＡＮカード３３２は、ＩＥＥＥ８０２．１１規格に準拠した機器であり、複数の無線ＬＡＮカード３３２で構成されるネットワーク内において、相互に無線で情報を伝送することができる。そして、プロジェクタ３Ｃ，３Ｄ，３Ｅは、この無線ＬＡＮカード３３２を介して情報を伝送することができる。
画像ケーブル５は、コネクタ５１Ａで分岐され、プロジェクタ３Ｃ，３Ｄ，３Ｅに接続される。したがって、プロジェクタ３Ｃ，３Ｄ，３Ｅには、それぞれ同一の画像データ信号が入力される。
【００５３】
図５は、プロジェクタ３Ｃの概略構成を示すブロック図である。
プロジェクタ３Ｃは、図５に示すように、画像投射装置３１と、制御装置３２Ｃと、画像投射装置３１および制御装置３２Ｃに電力を供給する電源装置３４で大略構成されている。
制御手段としての制御装置３２Ｃは、画像投射装置３１を含むプロジェクタ３Ｃ全体を制御するものであり、無線ＬＡＮカード３３２と、画像入力部３２２と、記憶部３２３と、制御部本体３２４とを備える。
制御部本体３２４は、画像生成部３２５と、液晶パネル駆動部３２６と、状態認識部３２７と、表示制御部３２８と、異常状態検出部３２９と、送信制御部３３０とを備える。
なお、本実施形態では、プロジェクタ３Ｃの送信制御部３３０は、無線ＬＡＮカード３３２に、プロジェクタ３Ｄに対して異常情報を送信させる。
【００５４】
図６は、プロジェクタ３Ｄの概略構成を示すブロック図である。
プロジェクタ３Ｄは、図６に示すように、画像投射装置３１と、制御装置３２Ｄと、画像投射装置３１および制御装置３２Ｄに電力を供給する電源装置３４で大略構成されている。
制御手段としての制御装置３２Ｄは、画像投射装置３１を含むプロジェクタ３Ｄ全体を制御するものであり、無線ＬＡＮカード３３２と、画像入力部３２２と、記憶部３２３と、制御部本体３２４とを備える。
制御部本体３２４は、画像生成部３２５と、液晶パネル駆動部３２６と、状態認識部３２７と、表示制御部３２８と、異常状態検出部３２９と、送信制御部３３０と、表示起動部３３１とを備える。
なお、本実施形態では、プロジェクタ３Ｄの送信制御部３３０は、無線ＬＡＮカード３３２に、プロジェクタ３Ｅに対して異常情報を送信させる。また、プロジェクタ３Ｄの表示起動部３３１は、制御信号を出力して無線ＬＡＮカード３３２にプロジェクタ３Ｃから送信される異常情報を受信させる。
【００５５】
図７は、プロジェクタ３Ｅの概略構成を示すブロック図である。
プロジェクタ３Ｅは、図７に示すように、画像投射装置３１と、制御装置３２Ｅと、画像投射装置３１および制御装置３２Ｅに電力を供給する電源装置３４で大略構成されている。
制御手段としての制御装置３２Ｅは、画像投射装置３１を含むプロジェクタ３Ｅ全体を制御するものであり、無線ＬＡＮカード３３２と、画像入力部３２２と、記憶部３２３と、制御部本体３２４とを備える。
制御部本体３２４は、画像生成部３２５と、液晶パネル駆動部３２６と、状態認識部３２７と、表示制御部３２８と、表示起動部３３１とを備える。
なお、本実施形態では、プロジェクタ３Ｅの表示起動部３３１は、制御信号を出力して無線ＬＡＮカード３３２にプロジェクタ３Ｄから送信される異常情報を受信させる。
【００５６】
次に、プロジェクションシステム１Ａの動作について、図４および図８を参照して説明する。
図８は、プロジェクションシステム１Ａの動作を示すフローチャートである。
ここで、図４に示すように、プロジェクタ３Ｃ，３Ｄ，３Ｅは、各プロジェクタ３Ｃ，３Ｄ，３Ｅにより投射される光学像の投射領域が略同一の領域に重畳されるように配置されている。なお、図４においては、プロジェクタ３Ｃ（主装置）により投射される光学像の光路を実線で示し、プロジェクタ３Ｄ，３Ｅ（従装置）により投射される光学像の光路を二点鎖線で示している。
【００５７】
まず、プロジェクションシステム１Ａの使用者により、プロジェクタ３Ｃの電源ボタンが押下されると、プロジェクタ３Ｃの状態認識部３２７は、自身が主装置であると認識する（ステップＳ３１：認識ステップ）。
次に、プロジェクタ３Ｃの表示制御部３２８は、表示制御を開始する（ステップＳ３２：表示開始ステップ）。
表示制御部３２８により表示制御が開始されると、電源装置３４から画像投射装置３１に電力が供給され、画像投射装置３１は、画像データに基づく光学像を投射する（ステップＳ３３）。
【００５８】
そして、プロジェクタ３Ｃの異常状態検出部３２９は、画像投射装置３１が画像データに基づく光画像を投射することが不可能となる異常状態を検出する（ステップＳ３４：異常状態検出ステップ）。
プロジェクタ３Ｃの異常状態検出部３２９により異常状態が検出されると、プロジェクタ３Ｃの送信制御部３３０は、この異常状態に係る異常情報を、無線ＬＡＮカード３３２に送信させる（ステップＳ３５：送信制御ステップ）。具体的には、前述したように、プロジェクタ３Ｃの送信制御部３３０は、異常情報を、プロジェクタ３Ｄに送信させる。
【００５９】
一方、プロジェクタ３Ｄの状態認識部３２７は、電源ボタンが押下されていないスタンバイ状態であるので、自身が従装置であると認識する（ステップＳ４１：認識ステップ）。
そして、プロジェクタ３Ｄの表示起動部３３１は、表示制御部３２８に表示制御を停止させる（ステップＳ４２：表示停止ステップ）。
【００６０】
プロジェクタ３Ｃの送信制御部３３０により異常情報が送信されると、プロジェクタ３Ｄの表示起動部３３１は、制御信号を出力して無線ＬＡＮカード３３２に、この異常情報を受信させる（ステップＳ４３）。
そして、プロジェクタ３Ｄの表示起動部３３１は、この異常情報が受信されると、表示制御部３２８に表示制御を開始させる（ステップＳ４４：表示開始ステップ）。
表示制御部３２８により表示制御が開始されると、電源装置３４から画像投射装置３１に電力が供給され、画像投射装置３１は、画像データに基づく光学像を投射する（ステップＳ４５）。
【００６１】
次に、プロジェクタ３Ｄの異常状態検出部３２９は、画像投射装置３１が画像データに基づく光画像を投射することが不可能となる異常状態を検出する（ステップＳ４６：異常状態検出ステップ）。
そして、プロジェクタ３Ｄの異常状態検出部３２９により異常状態が検出されると、プロジェクタ３Ｄの送信制御部３３０は、この異常状態に係る異常情報を、無線ＬＡＮカード３３２に送信させる（ステップＳ４７：送信制御ステップ）。具体的には、前述したように、プロジェクタ３Ｄの送信制御部３３０は、異常情報を、プロジェクタ３Ｅに送信させる。
【００６２】
一方、プロジェクタ３Ｅの状態認識部３２７は、電源ボタンが押下されていないスタンバイ状態であるので、自身が従装置であると認識する（ステップＳ５１：認識ステップ）。
そして、プロジェクタ３Ｅの表示起動部３３１は、表示制御部３２８に表示制御を停止させる（ステップＳ５２：表示停止ステップ）。
【００６３】
プロジェクタ３Ｄの送信制御部３３０により異常情報が送信されると、プロジェクタ３Ｅの表示起動部３３１は、制御信号を出力して無線ＬＡＮカード３３２に、この異常情報を受信させる（ステップＳ５３）。
そして、プロジェクタ３Ｅの表示起動部３３１は、表示制御部３２８に表示制御を開始させる（ステップＳ５４：表示開始ステップ）。
表示制御部３２８により表示制御が開始されると、電源装置３４から画像投射装置３１に電力が供給され、画像投射装置３１は、画像データに基づく光学像を投射する（ステップＳ５５）。
以上のようなステップＳ３１〜Ｓ３５、Ｓ４１〜Ｓ４７、Ｓ５１〜Ｓ５５により、画像データに基づく光学像を投射しているプロジェクタ３Ｃが、故障などにより異常状態となった場合においても、プロジェクタ３Ｃに接続されたプロジェクタ３Ｄが、画像データに基づく光学像を投射することができ、さらに、プロジェクタ３Ｄが、故障などにより異常状態となった場合においても、プロジェクタ３Ｄに接続されたプロジェクタ３Ｅが、画像データに基づく光学像を投射することができる。
【００６４】
このような本実施形態においても、前記第１実施形態と同様の作用、効果を得ることができる他、以下の作用、効果を奏することができる。
すなわち、プロジェクタ３Ｃは、状態認識部３２７と、表示制御部３２８と、異常状態検出部３２９と、送信制御部３３０とを備えていればよく、プロジェクタ３Ｅは、状態認識部３２７と、表示制御部３２８と、表示起動部３３１とを備えていればよいので、プロジェクタの構成を簡素化することができ、プロジェクションシステムの構築にあたって製造コストを更に安価にすることができる。
また、前記第１実施形態と比較して多数のプロジェクタ３Ｃ〜３Ｅによりプロジェクションシステム１Ａを構成しているので、重要な場面におけるプレゼンテーションなどに更に安心してプロジェクションシステム１Ａを利用することができる。
【００６５】
〔実施形態の変形〕
なお、本発明は前記実施形態に限定されるものではなく、本発明の目的を達成できる範囲での変形、改良等は本発明に含まれるものである。
前記各実施形態では、主従認識部３２７は、各プロジェクタ３Ａ〜３Ｅの電源ボタンが押下された場合に主装置であると認識し、電源ボタンが押下されていない場合、すなわち、スタンバイ状態である場合に従装置であると認識していたが、例えば、伝送手段を用いて各画像表示装置間の接続状態を確認し、この接続状態に基づいて自動的に自身が主装置であるか従装置であるかを認識するようにしてもよい。要するに、自身が主装置であるか従装置であるかを認識することができればよい。
前記各実施形態では、複数のプロジェクタは、主装置から従装置が直列に接続されていたが、例えば、リング状やツリー状などに接続してもよい。要するに、主装置が、異常状態となった場合においても、この主装置に接続される従装置が、画像情報に基づく画像を表示することができ、画像情報に基づく画像を表示し続けることができればよい。
【００６６】
前記各実施形態では、異常状態検出部３２９は、画像データ信号に基づく光学像を表示することが不可能となる異常状態として、光源ランプ３１４の故障により光学像を投射することができなくなる状態、およびプロジェクタ３Ａ，３Ｂの内部温度が上昇し、光学像を投射することができなくなる状態を検出していたが、例えば、液晶パネル３１２の故障や、ファン（図示略）の故障などにより光学像を投射することができなくなる状態などであってもよい。要するに、画像表示装置の異常状態を検出することができればよい。
さらに、前記各実施形態では、送信制御部３３０は、異常状態検出部３２９により検出された異常状態が、画像投射装置３１にて光学像を投射することが不可能となる異常状態の場合に、この異常状態に係る異常情報を、送受信部３２１にシリアルケーブル４を介して送信させていたが、画像投射装置３１にて光学像を投射することが可能である異常状態を送信させてもよい。例えば、画像入力部の異常により正常な画像データ信号を受信できなくなるような異常状態などに係る異常情報を送信してもよい。要するに、送信制御部は、画像表示装置の異常状態に係る異常情報を伝送手段にて送信させればよい。
【００６７】
前記第１実施形態では、２台のプロジェクタ３Ａ，３Ｂによりプロジェクションシステム１を構成し、前記第２実施形態では、３台のプロジェクタ３Ｃ，３Ｄ，３Ｅによりプロジェクションシステム１Ａを構成していたが、これ以上の数のプロジェクタによりプロジェクションシステムを構成してもよい。要するに、複数の画像表示装置により画像表示システムを構成し、複数の画像表示装置間を伝送手段により情報の伝送可能に接続すればよい。
前記第２実施形態では、プロジェクションシステム１Ａは、主装置（プロジェクタ３Ｃ）と、第１従装置（プロジェクタ３Ｄ）と、第２従装置（プロジェクタ３Ｅ）とで構成されていたが、例えば、複数の主装置、第１従装置、および第２従装置をスタック投影させてもよい。さらには、複数の第１従装置を直列に複数接続して主装置から第２従装置にかけて順に光学像を投影させるようにしてもよい。要するに、使用者の必要に応じて画像表示システムを構成すればよい。
【００６８】
前記第１実施形態では、伝送手段として、送受信部３２１と、シリアルケーブル４とを採用し、前記第２実施形態では、伝送手段として、無線ＬＡＮカード３３２を採用していたが、例えば、ＵＳＢ（Universal Serial Bus）ケーブルなどを採用してもよい。要するに、複数の画像表示装置間を情報の伝送可能に接続することができればよい。
前記各実施形態では、透過型の液晶パネル３１２を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶パネル３１２を３枚設けた構成としていたが、これに限らず、１枚のみの液晶パネル３１２を設ける構成、２枚の液晶パネル３１２を設ける構成、４枚以上の液晶パネル３１２を設ける構成としてもよい。
【００６９】
前記各実施形態では、画像出力装置は、ＰＣ２であったが、例えば、ボードコンピュータなどであってもよく、要するに、画像情報を出力することができればよい。
前記各実施形態では、画像表示装置は、プロジェクタ３Ａ〜３Ｅであったが、例えば、液晶テレビジョンなどであってもよく、要するに、画像情報に基づく画像を表示する画像表示装置であればよい。
【産業上の利用可能性】
【００７０】
本発明は、画像表示システムとして利用でき、特に、プロジェクタを用いたプロジェクションシステムに、好適に利用することができる。
【図面の簡単な説明】
【００７１】
【図１】本発明の第１実施形態に係るプロジェクションシステムの外観図。
【図２】前記実施形態におけるプロジェクタの概略構成を示すブロック図。
【図３】前記実施形態におけるプロジェクションシステムの動作を示すフローチャート。
【図４】本発明の第２実施形態に係るプロジェクションシステムの外観図。
【図５】前記実施形態における主装置としてのプロジェクタの概略構成を示すブロック図。
【図６】前記実施形態における第１従装置としてのプロジェクタの概略構成を示すブロック図。
【図７】前記実施形態における第２従装置としてのプロジェクタの概略構成を示すブロック図。
【図８】前記実施形態におけるプロジェクションシステムの動作を示すフローチャート。
【符号の説明】
【００７２】
１，１Ａ…プロジェクションシステム（画像表示システム）、２…ＰＣ（画像出力装置）、３Ａ〜３Ｅ…プロジェクタ（画像表示装置）、４…シリアルケーブル（伝送手段）、３１…画像投射装置（表示手段）、３２，３２Ｃ，３２Ｄ，３２Ｅ…制御装置（制御手段）、３１１…光源装置、３１２…液晶パネル（光変調装置）、３１３…投射光学装置、３１４…光源ランプ、３２１…送受信部（伝送手段）、３２７…状態認識部、３２８…表示制御部、３２９…異常状態検出部、３３０…送信制御部、３３１…表示起動部、３３２…無線ＬＡＮカード（伝送手段）、Ｓ１１，Ｓ２１，Ｓ３１，Ｓ４１，Ｓ５１…認識ステップ、Ｓ１２，Ｓ２４，Ｓ３２，Ｓ４４，Ｓ５４…表示開始ステップ、Ｓ１４，Ｓ３４，Ｓ４６…異常状態検出ステップ、Ｓ１５，Ｓ３５，Ｓ４７…送信制御ステップ、Ｓ２２，Ｓ４２，Ｓ５２…表示停止ステップ。
【図１】
2008170653.tif 000003
【図２】
2008170653.tif 000004
【図３】
2008170653.tif 000005
【図４】
2008170653.tif 000006
【図５】
2008170653.tif 000007
【図６】
2008170653.tif 000008
【図７】
2008170653.tif 000009
【図８】
2008170653.tif 000010